(57)【要約】【課題】  １つの解析画面で、ＴＳのエラー解析結果とＴＳの構造解析結果とを把握できるパケットストリーム監視装置を提供すること。【解決手段】  パケットストリームを解析してその解析結果を表示部に表示するように構成されたパケットストリーム監視装置において、  前記表示部は、  少なくとも、パケットストリームのエラー解析結果とそのパケットストリームの構造解析結果とを、１つの解析画面に同時に表示するようにしたもの。【選択図】                    図１
2005079735.tif 000002
【特許請求の範囲】
【請求項１】
パケットストリームを解析してその解析結果を表示部に表示するように構成されたパケットストリーム監視装置において、
前記表示部は、
少なくとも、パケットストリームのエラー解析結果とそのパケットストリームの構造解析結果とを、１つの解析画面に同時に表示することを特徴とするパケットストリーム監視装置。
【請求項２】
前記パケットストリームはデジタル放送のＴＳであることを特徴とする請求項１記載のパケットストリーム監視装置。
【請求項３】
前記エラー解析結果は、少なくとも、ＴＳの状態表示と、ＴＳ内の各種情報テーブルの状態表示を含むことを特徴とする請求項２記載のパケットストリーム監視装置。
【請求項４】
前記構造解析結果は、ＴＳに含まれるプログラムの状態を含むことを特徴とする請求項３記載のパケットストリーム監視装置。
【請求項５】
前記プログラムの状態は、少なくとも、そのプログラムに属するプログラムマップテーブルの状態と、そのプログラムに属するエレメンタリパケットの状態と、そのプログラムに属する番組情報テーブルの状態を含むことを特徴とする請求項４記載のパケットストリーム監視装置。
【発明の詳細な説明】
【技術分野】
【０００１】
本発明は、パケットストリーム監視装置に関するものであり、例えばデジタル放送におけるコンテンツデータなどのＴＳ（Transport Stream）の監視に好適な装置に関する。
【背景技術】
【０００２】
特許文献１には、デジタル放送における送出情報の品質向上を図るとともに、放送監視業務の軽減を図るための技術が開示されている。
【０００３】
しかし、特許文献１には、本発明のように、１つの画面でＴＳのエラー解析結果表示と構造解析結果表示とを両立させ、解析対象ＴＳの挙動が理解できるようにしたことに関する言及はない。
【０００４】
【特許文献１】特開２００１−８２３９
【０００５】
従来のアナログ放送監視は映像と音声を中心に行われていたが、デジタル放送ではこれら映像と音声以外に、番組連動データやＥＰＧ(Electronic Program Guide;電子番組ガイド)データなどのＴＳレベルでの監視が必要になってきた。
【０００６】
図２は、放送局内におけるＴＳ解析システムの一例を示すブロック図であり、オンライン形態の例を示している。ＴＳ出力部1は、オンエアする放送番組のＴＳを例えば局内の検証系に出力するとともに、ＴＳからパケットストリームを復調するパケット復調部2に入力する。パケット復調部2は、復調したパケットストリームを、オンライン解析部3に入力する。
【０００７】
オンライン解析部3は、パケット復調部2から復調入力されるパケットストリームについて、
・ＴＳヘッダの同期がとれているか？
・ＴＳヘッダのＣＣが連続しているか？
・セクションのＣＲＣは正常か？
・セクションのtable_id,length,Versionは正しいか？
・各テーブルの整合性が取れているか？
・テーブルは存在しているか？
・サブテーブル内にH-EIT以外のセクションが抜けなく存在するか？
・サブテーブル内においてEITが送出スパンに対し抜けなく存在するか？
・送出周期がBIT記載の周期か？
・所定の運用規定（例えばARIB-B14）に定められた値以外を使用していないか？
・運用してはならない記述がないか？
・所定の運用規定で定められた文字数を超えていないか？
などの多項目におよぶ各種の解析チェックを逐次実行し、それらの結果を表示部4に逐次表示する。
【０００８】
図３は、放送局内におけるＴＳ解析システムの他の例を示すブロック図であり、オフライン形態の例を示している。パケット取込部5は、パケット取込指示部6の指示に基づき、解析チェックが必要と判断した所定範囲有限長のパケットストリームをパケットメモリ7に格納する。パケット読出部8は、パケット読出指示部9の指示に基づいて、このパケットメモリ7に格納されたパケットストリームの中から該当する部分のパケットをオフライン解析部10に読み出す。オフライン解析部10は、前述のオンライン解析部3と同様な各種の解析チェックを実行し、それらの結果を表示部4に表示する。
【０００９】
図４は、これら従来の監視システムにおける表示部4の解析画面例であり、情報の種類別エラー解析結果表示画面の例を示している。
【００１０】
図４において、ＴＳ状態表示部101はＴＳのパケットストリームの状態を表示するものであり、ＴＳの同期外れなどＴＳとしてのエラー発生を検出した場合には正常状態のパターン表示色（例えば青色）をエラー発生検出状態の表示色（例えば赤色）に変化させる。またこのＴＳ状態表示部101には、例えばＴＳのビットレートなどの情報も表示する。
【００１１】
ＰＡＴ（Program Association Table）状態表示部102は、ＰＭＴ（Program Map Table）を伝送するＴＳパケットのIDの状態を表示するものであり、正常な情報テーブルの存在を検出した場合には正常状態のパターン表示色で点灯表示される。これに対し、送出周期異常やテーブルのデータ異常などのエラー発生を検出した場合には正常状態のパターン表示色をエラー発生検出状態の表示色に変化させる。またこのＰＡＴ状態表示部102には、例えば送出周期などの情報も表示する。このＰＡＴは、１つのＴＳに１つだけ存在する。
【００１２】
ＰＭＴ状態表示部103は、ＴＳ内のプログラムマッチテーブル群の状態を表示するものであり、正常状態のプログラムマッチテーブル群を１つでも検出することにより正常状態のパターン表示色で点灯表示される。これに対し、プログラムマッチテーブル群の１つにでも発生したエラーを検出した場合には正常状態のパターン表示色をエラー発生検出状態の表示色に変化させる。このＰＭＴは、プログラムの数だけ存在する。
【００１３】
ＣＡＴ（Condition Access Table）状態表示部104は、有料放送を構成する関連情報のうち個別情報を伝送するＴＳパケットのIDを指定する限定受信テーブルの状態を表示するものであり、正常状態の限定受信テーブルを検出することにより正常状態のパターン表示色で点灯表示される。これに対し、限定受信テーブルに発生したエラーを検出した場合には正常状態のパターン表示色をエラー発生検出状態の表示色に変化させる。このＣＡＴは、１つのＴＳに１つだけ存在する。
【００１４】
ＮＩＴ（Network Information Table）状態表示部105は、周波数などの伝送路情報と編成チャンネルを関連付ける情報を伝送するもので１つの分配システムに含まれる全ての編成チャンネルのID番号が記載されているネットワーク情報テーブルの状態を表示するものであり、正常状態のＮＩＴを検出することにより正常状態のパターン表示色で点灯表示される。これに対し、ＮＩＴに発生したエラーを検出した場合には正常状態のパターン表示色をエラー発生検出状態の表示色に変化させる。このＮＩＴも、１つのＴＳに１つだけ存在する。
【００１５】
ＢＩＴ（Broadcaster Information Table）状態表示部106は、放送事業者の編成情報を記載したテーブルの状態を表示するものであり、正常状態のＢＩＴを検出することにより正常状態のパターン表示色で点灯表示される。これに対し、ＢＩＴに発生したエラーを検出した場合には正常状態のパターン表示色をエラー発生検出状態の表示色に変化させる。このＢＩＴも、１つのＴＳに１つだけ存在する。
【００１６】
ＳＤＴ（Service Description Table）状態表示部107は、編成チャンネル名や放送事業者名などの編成チャンネルに関する情報を記載したサービス記述テーブルの状態を表示するものであり、正常状態のＳＤＴを検出することにより正常状態のパターン表示色で点灯表示される。これに対し、ＳＤＴに発生したエラーを検出した場合には正常状態のパターン表示色をエラー発生検出状態の表示色に変化させる。このＳＤＴも、１つのＴＳに１つだけ存在する。
【００１７】
ＴＯＴ（Time Offset Table）状態表示部108は、現在の日付時刻を指示するとともにサマータイム制実施時における実際時刻と人間系への表示時刻との差分時間を指定するテーブルの状態を表示するものであり、正常状態のＴＯＴを検出することにより正常状態のパターン表示色で点灯表示される。これに対し、ＴＯＴに発生したエラーを検出した場合には正常状態のパターン表示色をエラー発生検出状態の表示色に変化させる。このＴＯＴも、１つのＴＳに１つだけ存在する。
【００１８】
ＥＩＴ（Event Information Table）状態表示部109は、番組名・放送日時・番組内容などの番組に関する情報が記載されているイベント情報テーブルの状態を表示するものであり、正常状態のＥＩＴを検出することにより正常状態のパターン表示色で点灯表示される。これに対し、ＥＩＴに発生したエラーを検出した場合には正常状態のパターン表示色をエラー発生検出状態の表示色に変化させる。このＥＩＴは、各プログラム毎に、現／次番組、スケジュールなどのテーブル群が存在する。
【００１９】
ＣＤＴ（Common Data Table）状態表示部110は、事業者ロゴマークなど受信機で共通に必要なデータを伝送する全受信機共通データテーブルの状態を表示するものであり、正常状態のＣＤＴを検出することにより正常状態のパターン表示色で点灯表示される。これに対し、ＣＤＴに発生したエラーを検出した場合には正常状態のパターン表示色をエラー発生検出状態の表示色に変化させる。このＣＤＴは、データの種類に応じた数分存在する。
【００２０】
ＳＤＴＴ（Software Download Trigger Table）状態表示部111は、ソフトウェアダウンロードおよび蓄積型放送の差分データのスケジュール情報を送出するテーブルの状態を表示するものであり、正常状態のＳＤＴＴを検出することにより正常状態のパターン表示色で点灯表示される。これに対し、ＳＤＴＴに発生したエラーを検出した場合には正常状態のパターン表示色をエラー発生検出状態の表示色に変化させる。このＳＤＴＴも、データの種類に応じた数だけ存在する。
【００２１】
エレメンタリーパケット状態表示部112は、映像、音声、データ、字幕、クロックなどのエレメンタリーパケット群の状態を表示するものであり、これらエレメンタリーパケット群が１つでも存在すると点灯される。そして、エレメンタリーパケット群の１つにでもエラーが発生すると、正常状態のパターン表示色をエラー発生検出状態の表示色に変化させる。
【発明の開示】
【発明が解決しようとする課題】
【００２２】
しかし、図４のような解析画面によれば、ＴＳのエラー解析結果を知ることはできるものの、ＴＳの構造解析結果を把握することはできない。ＴＳの構造解析結果を把握するためには別の構造解析画面を呼び出さなければならず、操作が煩雑になる。
【００２３】
本発明は、このような従来の問題点を解決するものであり、その目的は、１つの解析画面で、ＴＳのエラー解析結果とＴＳの構造解析結果とを把握できるパケットストリーム監視装置を提供することにある。
【課題を解決するための手段】
【００２４】
このような課題を達成するために、本発明のうち請求項１記載の発明は、
パケットストリームを解析してその解析結果を表示部に表示するように構成されたパケットストリーム監視装置において、
前記表示部は、
少なくとも、パケットストリームのエラー解析結果とそのパケットストリームの構造解析結果とを、１つの解析画面に同時に表示することを特徴とする。
【００２５】
請求項２記載の発明は、請求項１記載のパケットストリーム監視装置において、
前記パケットストリームはデジタル放送のＴＳであることを特徴とする。
【００２６】
請求項３記載の発明は、請求項２記載のパケットストリーム監視装置において、
前記エラー解析結果は、少なくとも、ＴＳの状態表示と、ＴＳ内の各種情報テーブルの状態表示を含むことを特徴とする。
【００２７】
請求項４記載の発明は、請求項３記載のパケットストリーム監視装置において、
前記構造解析結果は、ＴＳに含まれるプログラムの状態を含むことを特徴とする。
【００２８】
請求項５記載の発明は、請求項４記載のパケットストリーム監視装置において、
前記プログラムの状態は、少なくとも、そのプログラムに属するプログラムマップテーブルの状態と、そのプログラムに属するエレメンタリパケットの状態と、そのプログラムに属する番組情報テーブルの状態を含むことを特徴とする。
【発明の効果】
【００２９】
本発明によれば、表示解析画面を切り替えることなく、１つの解析画面で、ＴＳの挙動が理解できる。
【００３０】
すなわち、ＴＳのエラー解析結果とＴＳの構造解析結果とを関連付けた状態で確認することができる。
【００３１】
またこれにより、ＴＳが正常な場合においてもＴＳの構造解析結果を確認することができる。
【発明を実施するための最良の形態】
【００３２】
以下、本発明を図面を用いて詳細に説明する。図１は本発明の一実施例を示す解析画面例図であり、図４と共通する部分には同一の符号を付けている。
【００３３】
図１に示す本発明の解析画面は、上部領域の情報種類別のエラー解析結果表示部100と、下部領域のプログラム別状態表示部200とで構成されていて、これらエラー解析結果表示部100と下部領域のプログラム別状態表示部200の各構成要素は、上下各表示部100，200において相互に関連する各構成要素の水平方向の配置関係が互いに一致するように配列されている。
【００３４】
エラー解析結果表示部100には、図４に示した各種情報表示部101〜111の他、映像、音、データなどのエレメンタリーパケット群の状態を表示するエレメンタリーパケット状態表示部112が設けられている。
【００３５】
エレメンタリーパケット状態表示部112は、エレメンタリーパケット群が１つでも存在する点灯し、エレメンタリーパケット群の１つでもエラーが発生した場合には正常状態のパターン表示色をエラー発生検出状態の表示色に変化させる。
【００３６】
プログラム別状態表示部200は、ＴＳに含まれる複数のプログラムの状態をそれぞれ表示する同一構成の複数のプログラム表示部210〜230で構成されている。
【００３７】
例えばプログラム表示部210は、サービス名称をはじめ、ＴＳパケットのプログラムマップテーブル状態表示部211、エレメンタリーパケット状態表示部212、番組情報テーブル状態表示部213などの構成要素で構成されている。これら構成要素のいずれかにエラーが発生すると、プログラム表示部210全体の表示色がエラー発生検出状態の表示色（例えば赤色）に変化する。
【００３８】
プログラムマップテーブル状態表示部211は、プログラム種別、パケットＩＤ、送出周期などの情報を表示するものであり、これらのいずれかにエラーが発生すると表示色がエラー発生検出状態の表示色（例えば赤色）に変化する。このプログラムマップテーブル状態表示部211は、その水平方向の位置が、エラー解析結果表示部100のＰＭＴ状態表示部103の水平方向の位置と一致するように配置されている。
【００３９】
エレメンタリーパケット状態表示部212は、エレメンタリーパケットの映像、音声、データ、字幕、クロックなどの種別やパケットＩＤなどの情報を表示する。そして、送出周期などのエラーが発生すると表示色がエラー発生検出状態の表示色（例えば赤色）に変化する。このエレメンタリーパケット状態表示部212は、その水平方向の位置が、エラー解析結果表示部100のエレメンタリーパケット状態表示部112の水平方向の位置と一致するように配置されている。
【００４０】
番組情報テーブル状態表示部213は、そのプログラムに属する番組情報テーブルの状態や送出周期などを表示するものであり、現在の番組と次の番組を表示する現在/次番組表示部Ｐ/ｆ、所定期間（例えば10日間や30日間など）の番組表示部scheduleなどの構成要素で構成されている。そして、送出周期異常やテーブルのデータ異常などのエラーが発生すると表示色がエラー発生検出状態の表示色（例えば赤色）に変化する。この番組情報テーブル状態表示部213は、その水平方向の位置が、エラー解析結果表示部100のＥＩＴ状態表示部109の水平方向の位置と一致するように配置されている。
【００４１】
このように構成される装置の動作を説明する。
ＴＳにエラーが何も発生していない正常状態では、エラー解析結果表示部100とプログラム別状態表示部200の各構成要素は、正常状態のパターン表示色（例えば青色）で表示される。この状態では、プログラム別状態表示部200のエレメンタリーパケット群212の表示に基づき、ＴＳの構造解析結果を確認することができる。
【００４２】
これに対し、例えばエレメンタリーパケット群の１つにエラーが発生すると、エラー解析結果表示部100のエレメンタリーパケット状態表示部112のパターン表示色がエラー発生検出状態の表示色に変化するとともに、プログラム表示部210におけるエレメンタリーパケット群212の該当するエレメンタリーパケットパターンおよびプログラム表示部210全体のパターン表示色もエラー発生検出状態の表示色に変化する。
【００４３】
また、プログラムマップテーブルに関連したエラーが発生すると、エラー解析結果表示部100のＰＭＴ状態表示部103およびプログラム別状態表示部200のプログラムマップテーブル状態表示部211のパターン表示色がエラー発生検出状態の表示色に変化する。
【００４４】
同様に、番組情報テーブルに関連したエラーが発生すると、エラー解析結果表示部100のＥＩＴ状態表示部109およびプログラム別状態表示部200の番組情報テーブル状態表示部213のパターン表示色がエラー発生検出状態の表示色に変化する。
【００４５】
ＴＳには、種々の情報テーブルがそれぞれ一定の周期で混ぜ込まれているが、ＰＡＴがＰＭＴをインデックスし、ＰＭＴがエレメンタリーパケットをインデックスする構造になっている。これにより、デジタル放送の受信機は、ＰＡＴから芋づる式に調べることにより、チャンネルの種類や指定チャンネルで使われる映像、音声、字幕などのエレメンタリーパケットを知ることができ、それらをデコードして画像や音声を再生する。ＥＩＴは、プログラム毎にグループを形成している。
【００４６】
本発明によれば、例えばデジタル放送におけるＴＳの解析結果を、表示解析画面を切り替えることなく１つの解析画面で、ＴＳのエラー解析結果とＴＳの構造解析結果とを関連付けた状態で直感的に把握できる。
そして、ＴＳが正常な場合には、同一の画面上で、ＴＳの構造解析結果を確認することができる。
【００４７】
なお、上記実施例では、デジタル放送におけるＴＳをリアルタイムで監視する例について説明したが、本発明はこれに限るものではなく、各種のパケットストリームの解析にも利用できる。
【図面の簡単な説明】
【００４８】
【図１】本発明の一実施例を示す解析画面例図である。
【図２】放送局内における従来のＴＳ解析システムの一例を示すブロック図である。
【図３】放送局内における従来のＴＳ解析システムの他の例を示すブロック図である。
【図４】従来の監視システムにおける表示部の解析画面例図である。
【符号の説明】
【００４９】
100  エラー解析結果表示部
103  ＰＭＴ状態表示部
109  ＥＩＴ状態表示部
112  エレメンタリーパケット状態表示部
200  プログラム別状態表示部
210〜230  プログラム表示部
211  プログラムマップテーブル状態表示部
212  エレメンタリーパケット状態表示部
213  番組情報テーブル状態表示部
【図１】
2005079735.tif 000003
【図２】
2005079735.tif 000004
【図３】
2005079735.tif 000005
【図４】
2005079735.tif 000006